(57)【要約】【課題】餌を保管したり供給したりすることができる上、円滑に給餌して餌を精確に餌皿に落とし込む、ペット用給餌器を提供する。【解決手段】ペット用給餌器は、筐体、貯蔵機構２、餌送り機構３及び制御機構４を備える。貯蔵機構２は、筐体中に設けられるとともに、収容ユニット２１と、収容ユニット２１の底部に設けた一時保管ユニット２２と、一時保管ユニット２２の一側に対応するように設けた案内部２３とを有する。餌送り機構３は、筐体中に設けられるとともに貯蔵機構２に接続され、アクチュエータユニット３１と、アクチュエータユニット３１に接続されるとともに収容ユニット２１中に位置する攪拌ユニット３２と、攪拌ユニット３２に接続されるとともに、一時保管ユニット２２中に位置する回転ユニット３３とを有する。制御機構４は、筐体に設けられるとともに、餌送り機構３のアクチュエータユニット３１と電気的に接続される。【選択図】図２
0003209286.tif 000002
【実用新案登録請求の範囲】
【請求項１】
筐体、貯蔵機構、餌送り機構及び制御機構を備えたペット用給餌器であって、
前記貯蔵機構は、前記筐体中に設けられるとともに、収容ユニットと、該収容ユニットの底部に設けた一時保管ユニットと、該一時保管ユニットの一側に対応するように設けた案内部と、を有し、
前記餌送り機構は、前記筐体中に設けられるとともに前記貯蔵機構に接続され、アクチュエータユニットと、前記アクチュエータユニットに接続されるとともに前記収容ユニット中に位置する攪拌ユニットと、前記攪拌ユニットに接続されるとともに、前記一時保管ユニット中に位置する回転ユニットと、を有し、
前記制御機構は、前記筐体に設けられるとともに、前記餌送り機構の前記アクチュエータユニットと電気的に接続されることを特徴とするペット用給餌器。
【請求項２】
前記筐体は、外カバーと、前記外カバーの底部に設けた台座と、前記外カバーの一側に可動可能に設けたカバーと、前記外カバーの頂端に可動可能に設けた保護カバーと、を有することを特徴とする請求項１に記載のペット用給餌器。
【請求項３】
前記外カバーには、前記台座と隣接する位置に互いに対をなす２個の軸板が設けられ、
前記外カバーの頂端の一側には、フックが設けられ、
前記カバーは、前記軸板にそれぞれ枢着する軸棒を底部に有し、前記フックと突合せ接続する係合板を頂端に有することを特徴とする請求項２に記載のペット用給餌器。
【請求項４】
前記保護カバーは透光材料からなることを特徴とする請求項３に記載のペット用給餌器。
【請求項５】
前記収容ユニットの底面は、開口を有し、
前記一時保管ユニットは、前記開口と位置がずれるように設けられた餌投入口を有し、
前記餌投入口は、前記案内部と対応されて連通されることを特徴とする請求項４に記載のペット用給餌器。
【請求項６】
前記アクチュエータユニットは、サーボモータであるとともに、前記台座中に設けられることを特徴とする請求項５に記載のペット用給餌器。
【請求項７】
前記攪拌ユニットは、軸座を有し、該軸座の外側縁には、少なくとも２個の翼板が設けられることを特徴とする請求項６に記載のペット用給餌器。
【請求項８】
前記回転ユニットは、ハブを有し、
該ハブの中央部には、心軸が設けられ、
該心軸の両端には、前記アクチュエータユニットと、前記攪拌ユニットの前記軸座とがそれぞれ接続されるとともに、前記ハブの外側周縁には、複数の回転板が設けられ、各２個の前記回転板間に落込み領域が形成されていることを特徴とする請求項７に記載のペット用給餌器。
【請求項９】
前記回転板は３０°〜４５°の傾斜角度で前記ハブの外側周縁に設けられていることを特徴とする請求項８に記載のペット用給餌器。
【請求項１０】
前記制御機構は、前記アクチュエータユニットと電気的に接続された処理制御ユニットと、前記処理制御ユニットと電気的に接続された撮像ユニットと、を有することを特徴とする請求項９に記載のペット用給餌器。
【考案の詳細な説明】
【技術分野】
【０００１】
本考案は、ペット用給餌器に関し、特に、餌を保管したり供給したりすることができる上、円滑に給餌して餌を精確に餌皿に落とし込む、ペット用給餌器に関する。
【背景技術】
【０００２】
ペットを飼っている飼主は、定時にペットへ餌を与えることができない場合、ペットが自分で食べることができるように、ペットのフードボウルに複数回分の餌を一度に準備しておくことが一般的であった。
【０００３】
しかし、ペットがフードボウル中の複数回分の餌を全て食べ切ることができずに、フードボウル中に大量の餌が残ってしまった場合、餌及び環境を汚染してしまうことがある他、外部環境に長時間放置されることにより餌が変質し、その餌を食べたペットの健康に悪影響を与える虞があった。
【０００４】
上述したような従来技術の問題点に鑑み、関連業者はペット用給餌器を開発し、餌を収納ケース中に入れ、制御ユニット、モータ、ギヤセット及び餌送りギヤを組み合わせ、餌を定時に定量を供給することにより、上述したような従来の給餌方式及びその欠点を改善していた。
【０００５】
しかし従来の給餌器は、モータにギヤセットを組み合わせ、餌送りギヤの駆動により餌を供給することができるため、長期間使用するとギヤが磨耗して各ギヤ間に間隙が発生し、ギヤが回転し過ぎたり回転不足となったりして餌を供給する際に詰まり、餌を精確に供給することができなくなる虞があった。
【考案の概要】
【考案が解決しようとする課題】
【０００６】
本考案の主な目的は、円滑に給餌して餌を精確に餌皿に落とし込む、ペット用給餌器を提供することにある。
【課題を解決するための手段】
【０００７】
上記課題を解決するために、本考案の第１の形態によれば、筐体、貯蔵機構、餌送り機構及び制御機構を備えたペット用給餌器であって、前記貯蔵機構は、前記筐体中に設けられるとともに、収容ユニットと、該収容ユニットの底部に設けた一時保管ユニットと、該一時保管ユニットの一側に対応するように設けた案内部と、を有し、前記餌送り機構は、前記筐体中に設けられるとともに前記貯蔵機構に接続され、アクチュエータユニットと、前記アクチュエータユニットに接続されるとともに前記収容ユニット中に位置する攪拌ユニットと、前記攪拌ユニットに接続されるとともに、前記一時保管ユニット中に位置する回転ユニットと、を有し、前記制御機構は、前記筐体に設けられるとともに、前記餌送り機構の前記アクチュエータユニットと電気的に接続されることを特徴とするペット用給餌器が提供される。
【０００８】
前記筐体は、外カバーと、前記外カバーの底部に設けた台座と、前記外カバーの一側に可動可能に設けたカバーと、前記外カバーの頂端に可動可能に設けた保護カバーと、を有することが好ましい。
【０００９】
前記外カバーには、前記台座と隣接する位置に互いに対をなす２個の軸板が設けられ、前記外カバーの頂端の一側には、フックが設けられ、前記カバーは、前記軸板にそれぞれ枢着する軸棒を底部に有し、前記フックと突合せ接続する係合板を頂端に有することが好ましい。
【００１０】
前記保護カバーは透光材料からなることが好ましい。
【００１１】
前記収容ユニットの底面は、開口を有し、前記一時保管ユニットは、前記開口と位置がずれるように設けられた餌投入口を有し、前記餌投入口は、前記案内部と対応されて連通されることが好ましい。
【００１２】
前記アクチュエータユニットは、サーボモータであるとともに、前記台座中に設けられることが好ましい。
【００１３】
前記攪拌ユニットは、軸座を有し、該軸座の外側縁には、少なくとも２個の翼板が設けられることが好ましい。
【００１４】
前記回転ユニットは、ハブを有し、該ハブの中央部には、心軸が設けられ、該心軸の両端には、前記アクチュエータユニットと、前記攪拌ユニットの前記軸座とがそれぞれ接続されるとともに、前記ハブの外側周縁には、複数の回転板が設けられ、各２個の前記回転板間に落込み領域が形成されていることが好ましい。
【００１５】
前記回転板は３０°〜４５°の傾斜角度で前記ハブの外側周縁に設けられていることが好ましい。
【００１６】
前記制御機構は、前記アクチュエータユニットと電気的に接続された処理制御ユニットと、前記処理制御ユニットと電気的に接続された撮像ユニットと、を有することが好ましい。
【考案の効果】
【００１７】
本考案のペット用給餌器は、収容ユニット中に餌を収容し、制御機構で餌の供給を調整し、餌を供給する際、餌送り機構のアクチュエータユニットにより攪拌ユニット及び回転ユニットを同時に駆動し、収容ユニット中の餌を攪拌ユニットで攪拌した後、回転ユニットで餌を排出し、円滑に給餌して餌を精確に餌皿に落とし込む。
【図面の簡単な説明】
【００１８】
【図１】本考案の一実施形態に係るペット用給餌器を示す斜視図である。
【図２】本考案の一実施形態に係るペット用給餌器を示す分解斜視図である。
【図３】本考案の一実施形態に係るペット用給餌器を示す断面図である。
【考案を実施するための形態】
【００１９】
以下、本考案を実施形態に基づいて、より具体的に説明する。但し、本考案はこれらの実施形態に何ら限定されるものではない。
【００２０】
図１〜図３を参照する。図１は、本考案の一実施形態に係るペット用給餌器を示す斜視図である。図２は、本考案の一実施形態に係るペット用給餌器を示す分解斜視図である。図３は、本考案の一実施形態に係るペット用給餌器を示す断面図である。図１〜図３に示すように、本考案の一実施形態に係るペット用給餌器は、少なくとも筐体１、貯蔵機構２、餌送り機構３及び制御機構４から構成されている。
【００２１】
上述した筐体１は、外カバー１１と、外カバー１１の底部に設けた台座１２と、外カバー１１の一側に可動可能に設けたカバー１３と、外カバー１１の頂端に可動可能に設けた保護カバー１４と、を含む。外カバー１１は、台座と隣接する位置に、互いに対をなす２個の軸板１１１を有する。外カバー１１の頂端の一側には、フック１１２が設けられる。カバー１３は、軸板１１１にそれぞれ枢着する軸棒１３１を底部に有する。カバー１３は、フック１１２と突合せ接続する係合板１３２を頂端に有する。保護カバー１４は、透光材料からなってもよい。
【００２２】
貯蔵機構２は、筐体１中に設けられるとともに、収容ユニット２１と、収容ユニット２１底部に設けた一時保管ユニット２２と、一時保管ユニット２２の一側に対応するように設けた案内部２３と、を有する。収容ユニット２１の底面は、開口２１１を有する。一時保管ユニット２２は、開口２１１と位置がずれるように設けられた餌投入口２２１を有する。餌投入口２２１は、案内部２３と対応されて連通される。
【００２３】
餌送り機構３は、筐体１中に設けられるとともに貯蔵機構２と接続される。餌送り機構３は、台座１２中に設けたアクチュエータユニット３１と、アクチュエータユニット３１に接続されるとともに収容ユニット２１中に位置する攪拌ユニット３２と、攪拌ユニット３２に接続されるとともに、一時保管ユニット２２中に位置する回転ユニット３３と、を含む。アクチュエータユニット３１はサーボモータである。攪拌ユニット３２は、軸座３２１を有する。軸座３２１の外側縁には、少なくとも２個の翼板３２２が設けられる。回転ユニット３３は、ハブ３３１を有する。ハブ３３１の中央部には、心軸３３２が設けられる。心軸３３２の両端には、アクチュエータユニット３１と、攪拌ユニット３２の軸座３２１とがそれぞれ接続されるとともに、ハブ３３１の外側周縁には、複数の回転板３３３が設けられ、各２個の回転板３３３間に落込み領域３３４が形成されている。回転板３３３は、３０°〜４５°の傾斜角度でハブ３３１の外側周縁に設けられている。
【００２４】
制御機構４は、筐体１に設けられるとともに、餌送り機構３のアクチュエータユニット３１と電気的に接続される。制御機構４は、アクチュエータユニット３１と電気的に接続された処理制御ユニット４１と、処理制御ユニット４１と電気的に接続された撮像ユニット４２と、を有する。処理制御ユニット４１は、外カバー１１の頂面に設けられる。処理制御ユニット４１は、プロセッサ、モニター及び複数の押しボタンを有する。撮像ユニット４２は、外カバー１１の頂面の処理制御ユニット４１と隣接する位置に設けられてもよい。撮像ユニット４２は撮影装置でもよい。
【００２５】
本考案の一実施形態に係るペット用給餌器を実際に使用する際、カバー１３の係合板１３２を外カバー１１のフック１１２から外して筐体１のカバー１３を開き、軸板１１１が軸棒１３１に組み合わされ、外カバー１１の一側のカバー１３を開き、飼主が貯蔵機構２の収容ユニット２１中に餌を入れて攪拌ユニット３２を餌で覆い、一部の餌が開口２１１から落込み領域３３４中に落とし込まれると、餌が一時的に落込み領域３３４と一時保管ユニット２２との間に位置決めされ、カバー１３を外カバー１１の方向へ移動し、カバー１３の係合板１３２と外カバー１１のフック１１２とを結合するとカバー１３が閉じられ、制御機構４の処理制御ユニット４１により材料供給の設定（例えば、材料の供給時間、材料の供給回数又は材料の供給量の設定、撮像ユニット４２の起動などに関する設定）を行い、案内部２３の餌排出の一端に餌皿５を設置する。
【００２６】
餌の供給時間になると、処理制御ユニット４１が餌送り機構３のアクチュエータユニット３１を作動させ、アクチュエータユニット３１が攪拌ユニット３２及び回転ユニット３３を回転させ、餌が固まったり詰まったりすることを防ぐために、攪拌ユニット３２の各翼板３２２により餌を攪拌させるとともに、落込み領域３３４と一時保管ユニット２２との間にある餌が各回転板３３３により餌投入口２２１から回転排出され、案内部２３から餌皿５へ導き出される。前述したように餌を回転排出すると、収容ユニット２１内の餌が開口２１１から各落込み領域３３４中へ再び落とし込まれ、各回転板３３３により各落込み領域３３４中の餌が餌投入口２２１から回転排出され、案内部２３を介して餌皿５中へ導き出され、餌が所定の量に達すると、処理制御ユニット４１によりアクチュエータユニット３１の作動を停止させる。また、攪拌ユニット３２の各翼板３２２により収容ユニット２１中の餌を攪拌することにより、餌が固まったり詰まったりすることを防ぎ、回転ユニット３３の各回転板３３３が有する傾斜角度により餌を排出し、円滑に給餌して餌を精確に餌皿に落とし込むことができる。
【００２７】
また、ペットが餌を食用している状況を撮像ユニット４２により飼主へ知らせてもよい。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１  筐体
２  貯蔵機構
３  餌送り機構
４  制御機構
５  餌皿
１１  外カバー
１２  台座
１３  カバー
１４  保護カバー
２１  収容ユニット
２２  一時保管ユニット
２３  案内部
３１  アクチュエータユニット
３２  攪拌ユニット
３３  回転ユニット
４１  処理制御ユニット
４２  撮像ユニット
１１１  軸板
１１２  フック
１３１  軸棒
１３２  係合板
２１１  開口
２２１  餌投入口
３２１  軸座
３２２  翼板
３３１  ハブ
３３２  心軸
３３３  回転板
３３４  落込み領域
【図１】
0003209286.tif 000003
【図２】
0003209286.tif 000004
【図３】
0003209286.tif 000005